(57)【特許請求の範囲】
【請求項１】
着用者の腹側を覆うフロント部、着用者の背側を覆うバック部、ならびに、前記フロント部とバック部との間の股部を有する吸収性本体と、前記吸収性本体の前記バック部に固着され、前記バック部から胴回り方向に突出する一対の胴回り部とを備えた使い捨て着用物品であって、
前記各胴回り部は前記バック部の肌面側に固着され、前記バック部における前記吸収性本体の長手方向の第１端部から前記吸収性本体の幅方向の第２端部にわたるＬ字状の固着ラインに沿って前記各胴回り部が前記バック部に固着され、
前記各胴回り部は突出端、傾斜縁、前記突出端と傾斜縁とを連ねる上縁および下縁を有し、
前記傾斜縁は前記股部に近づくに従い前記幅方向の第２端部に近づくように傾いたラインに沿い、前記傾斜縁が前記吸収性本体に固着されていない開口を形成して前記傾斜縁から前記Ｌ字状の固着ラインにわたってポケットが形成されている使い捨て着用物品。
【請求項２】
請求項１において、前記各胴回り部の傾斜縁が互いに交差した状態で重なり、前記各胴回り部のポケット同士が前記バック部における前記胴回り方向の中央において互いに重なっている使い捨て着用物品。
【請求項３】
請求項２において、前記各胴回り部には前記胴回り方向に沿って伸縮する弾性部材が配置されていることで前記各胴回り部にギャザーが形成され、
前記傾斜縁の近傍においては前記ギャザーが形成されていない使い捨て着用物品。
【発明の詳細な説明】
【技術分野】
【０００１】
本発明は使い捨て着用物品に関する。
【背景技術】
【０００２】
従来より、胴回り部材と吸収性本体の間のバック部との間に大便を収容することが可能なポケットを有する着用物品が提案されている。（特許文献１）
【先行技術文献】
【特許文献】
【０００３】
【特許文献１】ＷＯ２００３／０７７８１２（要約）
【発明の概要】
【発明が解決しようとする課題】
【０００４】
しかし、前記先行技術では前記ポケットの大きさを十分に大きくすることができない。
【０００５】
したがって、本発明の目的は前記ポケットの十分な大きさを確保し得る使い捨て着用物品を提供することである。
【０００６】
前記目的を達成するために、着用者の腹側を覆うフロント部、着用者の背側を覆うバック部、ならびに、前記フロント部とバック部との間の股部を有する吸収性本体と、前記吸収性本体の前記バック部に固着され、前記バック部から胴回り方向に突出する一対の胴回り部とを備えた使い捨て着用物品であって、前記各胴回り部は前記バック部の肌面側に固着され、前記バック部における前記吸収性本体の長手方向の第１端部から前記吸収性本体の幅方向の第２端部にわたるＬ字状の固着ラインに沿って前記各胴回り部が前記バック部に固着され、前記股部に近づくに従い前記幅方向の第２端部に近づくように傾いたラインに沿う傾斜縁を前記各胴回り部が有し、前記傾斜縁が前記吸収性本体に固着されていない開口を形成して前記傾斜縁から前記Ｌ字状の固着ラインにわたってポケットが形成されている。
【発明の効果】
【０００７】
本発明方法によれば、各胴回り部がバック部における吸収性本体の長手方向の第１端部と幅方向の第２端部においてＬ字状に固着されているから、ポケットが吸収性本体の隅まで設けられる。したがって、ポケットを可及的に大きくすることができる。
又、当該ポケットにより、いわゆる尿とりパッドのような交換可能な吸収パッドを挿入・固定することもできる。
【図面の簡単な説明】
【０００８】
【図１】本発明の使い捨て着用物品の実施例１を示す平面図および概略断面図であ  る。
【図２】同実施例１の胴回り部を製造する方法を示す平面図である。
【図３】実施例２を示す平面図である。
【図４】実施例３を示す平面図である。
【発明を実施するための形態】
【０００９】
本発明の好ましい実施例においては、前記各胴回り部の傾斜縁が互いに交差した状態で重なり、前記各胴回り部のポケット同士が前記バック部における前記胴回り方向の中央において互いに重なっている。
【００１０】
この場合、一対の胴回り部のポケット同士が互いに重なっているので、バック部の胴回り方向の両端だけでなく中央にもポケットを形成し得る。したがって、ポケットが更に大きくなる。
【００１１】
本発明の更に好ましい実施例においては、前記各胴回り部には前記胴回り方向に沿って伸縮する弾性部材が配置されていることで前記各胴回り部にギャザーが形成され、前記傾斜縁の近傍においては前記ギャザーが形成されていない。
【００１２】
ポケットの開口を形成する傾斜縁の近傍にギャザーが形成されていると、大便がポケット内に入り込みにくくなるが、本実施例においては前記傾斜縁の近傍にギャザーが形成されていないので、大便がポケットの開口から内部に入り込み易い。
【実施例】
【００１３】
実施例１
以下、本発明の実施例１が図面にしたがって説明される。
図１および図２は実施例１を示す。
【００１４】
着用物品１：
図１Ａ，Ｂに示すように、本実施例の着用物品は、吸収性本体（オムツ本体）２０および一対の胴回り部３０を備えている。前記吸収性本体２０は、着用者の前胴を覆うフロント部２０１、着用者の後胴を覆うバック部２０２、ならびに、前記フロント部２０１とバック部２０２との間の股間を覆う股部２０３を有している。
【００１５】
前記股部２０３はフロント部２０１およびバック部２０２に連なり、前記吸収性本体２０は胴回り方向Ｘに直交する縦方向Ｙに延びる。
【００１６】
吸収性本体２０には立体ギャザー２００が設けられてもよい。また、吸収性本体２０には、着用者の脚部に沿って括れた脚回り部を形成してもよい。
【００１７】
さらに、吸収性本体２０の脚回りとなる部分などには、着用物品を着用者にフィットさせるための弾性部材２３が設けられていてもよい。この弾性部材２３としては、たとえば、複数の糸ゴムや平ゴム、フィルムまたは熱可塑性樹脂を含む材料などを採用することができる。
【００１８】
一般に、前記吸収性本体２０は、着用者の肌面に接するトップシート２４と前記肌面に接しないカバーシート２５および吸収性のコア２６を備える。
前記トップシート２４は、液透過性で、かつ、通気性を有する不織布で形成されている。カバーシート２５は、液透過性で、かつ、親水性を有するティッシュで形成されていてもよい。前記カバーシート２５の背面には液不透過性のバックシート２７が付着されて吸収性本体２０がバックシート２７に覆われていてもよい。
【００１９】
前記コア２６はフラップパルプや多数の吸収性の粉粒体を含んでいてもよい。かかる粉粒体は周知の吸収性の高分子ポリマーからなる。
【００２０】
本実施例の場合、前記胴回り部３０は２枚の不織布（ウエブ）の間にたとえば糸ゴムのような伸縮性の弾性部材３２が挟まれていてもよい。この場合、胴回り部３０は胴回り方向Ｘに伸縮するギャザーを形成する。
【００２１】
各胴回り部３０は前記吸収性本体２０の前記バック部２０２の肌面側（着用者の肌に接する側）に固着（溶着または接着等）されている。前記バック部２０２における前記吸収性本体２０の長手方向Ｙの第１端部２１から吸収性本体２０の幅方向Ｘの第２端部２２にわたるＬ字状の固着ラインＬに沿って前記各胴回り部３０が前記バック部２０２に固着（溶着または接着等）されている。その他部位においては、前記胴回り部３０は前記吸収性本体２０に固着されていない。
なお、Ｌ字状の固着ラインＬとは、直角に屈曲したラインに限定されず、後述のポケット３９が形成されるラインであれば、９０°以外の角度で屈曲していてもよいし、更に円弧状の湾曲したラインも含まれる。
【００２２】
前記胴回り部３０は前記股部２０３に近づくに従い前記幅方向Ｘの第２端部２２に近づくように傾いたラインに沿う傾斜縁３７を有する。前記傾斜縁３７は前記吸収性本体２０に固着されていない図１Ｂの開口３８を形成して前記図１Ａの傾斜縁３７から前記Ｌ字状の固着ラインＬにわたってポケット３９が形成されている。つまり、ポケット３９はｘｘで示される固着ラインＬに沿ってシールされて塞がれている。
【００２３】
前記各胴回り部３０の傾斜縁３７は互いに交差した状態で重なっており、前記各胴回り部３０のポケット３９同士が前記バック部２０２の第１端部２１の近傍における前記胴回り方向Ｘの中央において互いに重なっている。前記各胴回り部３０は前記傾斜縁３７と平行な突出端３３を有する台形状に形成されている。
【００２４】
前記胴回り部３０の前記突出端３３の近傍には雄面ファスナ３４のような止着材が固着されている。この雄面ファスナ３４は前記吸収性本体２０の前記フロント部２０１の非肌面に形成された雌面ファスナ（図示せず）に接合される。
【００２５】
前記胴回り部３０は前記突出端３３と傾斜縁３７とを連ねる上縁３５および下縁３６を有する。本実施例の場合、前記上縁３５および下縁３６は吸収性本体２０のバック部２０２に近づくに従い下方に向かって傾斜している。つまり、前記胴回り部３０は前記吸収性本体２０に向かって斜め下方向に向かうように傾いている。このように傾いていることにより、前記胴回り部３０は前記吸収性本体２０の両側において着用者の臀部の一部を覆う。
【００２６】
前記胴回り部３０は前記下縁３６に平行に延びる弾性部材３２を有する。つまり、弾性部材３２は前記吸収性本体２０に向かって斜め下方に向かうように傾いており、弾性部材２３に連なって、オムツを着用者の臀部から股間にフィットさせる。
【００２７】
前記各胴回り部３０には前記胴回り方向Ｘに沿って伸縮する前記弾性部材３２が配置されていることで前記各胴回り部３０にギャザーが形成され、一方、前記傾斜縁３７の近傍においては前記ギャザーが形成されていない。これにより、ポケット３９が開口し易くなる。
【００２８】
図２に示すように、前記胴回り部３０を形成するには、まず、長手方向に延び胴回り部３０となる連続積層体３Ａを生成する。この連続積層体３Ａは、各胴回り部３０の傾斜縁３７の近傍の部位および前記雄面ファスナ３４を貼り付ける部位については弾性部材３２による伸縮力が作用しないように、弾性部材３２が切断等されている。
【００２９】
つぎに、前記突出端３３となる近傍の前記部位に雄面ファスナ３４が貼り付けられる。その後、前記連続積層体３Ａを台形状に切り分けることで前記胴回り部３０が生成される。
【００３０】
こうして帯状の連続積層体３Ａから材料のロスなく生成された前記胴回り部３０の図１Ａの前記傾斜縁３７と下縁３６とは直角に交差する。つまり、前記傾斜縁３７と下縁３６との間の角は９０°に設定されている。
なお、連続積層体３Ａから、個々の胴回り部３０を切り分けるにあたり、台形状に限られず、方形状に切り分けてもよい。
【００３１】
図３は実施例２を示す。
この図の実施例においては、前記胴回り部３０の前記下縁３６は吸収性本体２０のバック部２０２に近づくに従い下方に向かって傾斜しているが、前記上縁３５は吸収性本体２０のバック部２０２に近づくに従い上方に向かって傾斜している。
【００３２】
図４は実施例３を示す。
この図の実施例においては、前記胴回り部３０の前記下縁３６は吸収性本体２０のバック部２０２に近づくに従い下方に向かって傾斜しているが、前記上縁３５は傾斜しておらず、胴回り方向Ｘに平行である。
【００３３】
なお、前記実施例２および実施例３のその他の構成は実施例１と同様であり、その説明を省略する。
【００３４】
以上のとおり、図面を参照しながら好適な実施例を説明したが、当業者であれば本明細書を見て、自明な範囲で種々の変更および修正を容易に想定するであろう。
たとえば、弾性部材として糸ゴムを用いずに、ベルト部自体を弾性不織布で形成してもよい。
また、本着用物品はＴ型のオムツではなくパンツであってもよい。
したがって、そのような変更および修正は、請求の範囲から定まる本発明の範囲内のものと解釈される。
【産業上の利用可能性】
【００３５】
本発明は、使い捨てオムツやパンツのような使い捨て着用物品に利用できる。
【符号の説明】
【００３６】
２０：吸収性本体（オムツ本体）
２１：第１端部
２２：第２端部
２３：弾性部材
２４：トップシート
２５：カバーシート
２６：コア
２７：バックシート
２０１：フロント部
２０２：バック部
２０３：股部
３Ａ：連続積層体
３０：胴回り部
３２：弾性部材
３３：突出端
３４：雄面ファスナ
３５：上縁
３６：下縁
３７：傾斜縁
３８：開口
３９：ポケット
Ｘ：胴回り方向，幅方向
Ｙ：長手方向
Ｌ：ライン
【図１】
0005715854.tif 000002
【図２】
0005715854.tif 000003
【図３】
0005715854.tif 000004
【図４】
0005715854.tif 000005